(57)【要約】      （修正有）【訣題】好みの有色光を本体内に照射して荘厳さを増した仏壇を提供する。【解決手段】仏壇１は、本体１０と、この本体１０内の下方に設けられ、上面が開口した開口部２０ａを有すると共に、光源２１を収納した光源収納室２０と、仏具３０と、光源収納室２０の開口部２０ａを上から覆い、仏具３０を載置する光を通す透光部材で形成された載置台４０と、光を通す有色の透光部材で形成された有色透光部５０ａを有する挿入部材５０と、光源収納室２０の開口部２０ａより下方に位置し、光源収納室２０に設けられた挿入部材５０を支持する挿入部材支持部２０ｂとを備え、この挿入部材支持部２０ｂへの挿入部材５０の受け入れ口２０ｃが本体１０の正面に臨んでいるものである。【選択図】図３
0003164156.tif 000002
【実用新案登録請求の範囲】
【請求項１】
本体と、
この本体内の下方に設けられ、上面が開口した開口部を有すると共に、光源を収納した光源収納室と、
仏具と、
前記光源収納室の前記開口部を上から覆い、前記仏具を載置する光を通す透光部材で形成された載置台と、
光を通す有色の透光部材で形成された有色透光部を有する挿入部材と、
前記光源収納室の開口部より下方に位置し、前記光源収納室に設けられた前記挿入部材を支持する挿入部材支持部とを備え、
この挿入部材支持部への前記挿入部材の受け入れ口が前記本体の正面に臨んでいる
ことを特徴とする仏壇。
【請求項２】
挿入部材の有色透光部は、前記挿入部材に有色透光部を載置して形成されるものであり、
この載置する部位は、前記挿入部材に設けた開口部を有した開口縁部又は前記挿入部材に設けた透明で形成された透明載置部又は前記挿入部材に設けた半透明で形成された半透明載置部である
ことを特徴とする請求項１記載の仏壇。
【請求項３】
挿入部材の有色透光部は、前記挿入部材に有色透光部を載置して形成されるものであり、
この載置する部位は、前記挿入部材に設けた開口部を有した開口縁部又は前記挿入部材に設けた透明で形成された透明載置部又は前記挿入部材に設けた半透明で形成された半透明載置部であり、
前記挿入部材の有色透光部が複数に分割された分割片で形成され、該分割片の有色が異なっている
ことを特徴とする請求項１記載の仏壇。
【請求項４】
本体と、
この本体内の下方に設けられ、上面が開口した開口部を有すると共に、光源を収納した光源収納室と、
仏具と、
前記光源収納室の前記開口部を上から覆い、前記仏具を載置する光を通す透光部材で形成された載置台と、
光を通す有色の透光部材で形成された有色透光体と、
前記光源収納室の開口部より下方に位置し、前記光源収納室に設けられた前記有色透光体を支持する有色透光体支持部とを備え、
この有色透光体支持部への前記有色透光体の受け入れ口が前記本体の正面に臨んでいる
ことを特徴とする仏壇。
【請求項５】
仏具は、光を通す透光部材で形成され、
光源は、本体の幅方向に配列された複数の白色発光ダイオードである
ことを特徴とする請求項１〜４のいずれかの仏壇。
【考案の詳細な説明】
【技術分野】
【０００１】
本考案は、仏壇に係り、特に、好みの有色光を本体内に照射して荘厳さを増した仏壇に関する。
【背景技術】
【０００２】
棚板に載置される飾り徳利だけをピンポイントで照明して礼拝時における荘厳さを増すことができる飾り徳利の照明装置がある（例えば、特許文献参照）。
これは、厨子等の箱体内の透明又は半透明の棚板に載置される透明又は半透明の飾り徳利を照明する厨子等における飾り徳利の照明装置であって、飾り徳利を照明する発光ダイオード等の照明器具を前記飾り徳利に対応する位置にスライド自在に装着したものとなっている。
【先行技術文献】
【特許文献】
【０００３】
【特許文献１】特開２００７−１１７６８６号公報
【考案の概要】
【考案が解決しようとする課題】
【０００４】
しかしながら、上述の照明器具にあっては、使用者の好み、季節等に応じて、好みの有色光を本体内に照射することが容易でないという問題点があった。
【０００５】
本考案は、上記の問題点を除去するようにした仏壇を提供することを目的とする。
【課題を解決するための手段】
【０００６】
請求項１記載の仏壇は、本体と、この本体内の下方に設けられ、上面が開口した開口部を有すると共に、光源を収納した光源収納室と、仏具と、前記光源収納室の前記開口部を上から覆い、前記仏具を載置する光を通す透光部材で形成された載置台と、光を通す有色の透光部材で形成された有色透光部を有する挿入部材と、前記光源収納室の開口部より下方に位置し、前記光源収納室に設けられた前記挿入部材を支持する挿入部材支持部とを備え、この挿入部材支持部への前記挿入部材の受け入れ口が前記本体の正面に臨んでいるものである。
【０００７】
また、請求項２記載の仏壇は、請求項１記載の仏壇において、挿入部材の有色透光部は、前記挿入部材に有色透光部を載置して形成されるものであり、この載置する部位は、前記挿入部材に設けた開口部を有した開口縁部又は前記挿入部材に設けた透明で形成された透明載置部又は前記挿入部材に設けた半透明で形成された半透明載置部である。
【０００８】
また、請求項３記載の仏壇は、請求項１記載の仏壇において、挿入部材の有色透光部は、前記挿入部材に有色透光部を載置して形成されるものであり、この載置する部位は、前記挿入部材に設けた開口部を有した開口縁部又は前記挿入部材に設けた透明で形成された透明載置部又は前記挿入部材に設けた半透明で形成された半透明載置部であり、前記挿入部材の有色透光部が複数に分割された分割片で形成され、該分割片の有色が異なっているものである。
【０００９】
また、請求項４記載の仏壇は、本体と、この本体内の下方に設けられ、上面が開口した開口部を有すると共に、光源を収納した光源収納室と、仏具と、前記光源収納室の前記開口部を上から覆い、前記仏具を載置する光を通す透光部材で形成された載置台と、光を通す有色の透光部材で形成された有色透光体と、前記光源収納室の開口部より下方に位置し、前記光源収納室に設けられた前記有色透光体を支持する有色透光体支持部とを備え、この有色透光体支持部への前記有色透光体の受け入れ口が前記本体の正面に臨んでいるものである。
【００１０】
また、請求項５記載の仏壇は、請求項１〜４のいずれかの仏壇において、仏具は、光を通す透光部材で形成され、光源は、本体の幅方向に配列された複数の白色発光ダイオードである。
【考案の効果】
【００１１】
請求項１記載の仏壇によれば、挿入部材支持部への挿入部材の受け入れ口が本体の正面に臨んでいるため、使用者の好み、季節等に応じて、有色透光部の色を選択し、選択した挿入部材を前記受け入れ口から挿入することができ、該有色透光部を通して光源の光を好みの有色光として本体の上方に向けて照射し、荘厳さを増した仏壇を得ることができる。
【００１２】
また、請求項２記載の仏壇によれば、上述した請求項１記載の考案の効果に加え、挿入部材の有色透光部は、前記挿入部材に有色透光部を載置して形成されるものであり、この載置する部位は、前記挿入部材に設けた開口部を有した開口縁部又は前記挿入部材に設けた透明で形成された透明載置部又は前記挿入部材に設けた半透明で形成された半透明載置部であるため、有色透光部を有する挿入部材を容易に得ることができる。
【００１３】
また、請求項３記載の仏壇によれば、上述した請求項１記載の考案の効果に加え、挿入部材の有色透光部は、前記挿入部材に有色透光部を載置して形成されるものであり、この載置する部位は、前記挿入部材に設けた開口部を有した開口縁部又は前記挿入部材に設けた透明で形成された透明載置部又は前記挿入部材に設けた半透明で形成された半透明載置部であるため、有色透光部を有する挿入部材を容易に得ることができ、しかも、前記挿入部材の有色透光部が複数に分割された分割片で形成され、該分割片の有色が異なっているため、異なった色の有色透光部を通して本体の上方に向けて照射し、荘厳さをより増した仏壇を得ることができる。
【００１４】
また、請求項４記載の仏壇によれば、有色透光体支持部への有色透光体の受け入れ口が本体の正面に臨んでいるため、使用者の好み、季節等に応じて、有色透光体の色を選択し、選択した有色透光体を前記受け入れ口から挿入することができ、該有色透光体を通して光源の光を好みの有色光として本体の上方に向けて照射し、荘厳さを増した仏壇を得ることができる。
【図面の簡単な説明】
【００１５】
【図１】図１は、本考案の一実施例の仏壇の概略的斜視図である。
【図２】図２は、図１の仏壇の概略的断面図である。
【図３】図３は、図２の一部を分解して示す概略的一部分解断面図である。
【図４】図４は、図２の挿入部材に有色透光部が装着される状態を示す概略的図である。
【図５】図５は、図４の挿入部材が挿入部材支持部へ挿入される前の状態の概略的斜視図である。
【図６】図６は、図５の載置台が光源収納室の開口部の縁部に置かれる状態を示す概略的斜視図である。
【図７】図７は、本体の幅方向に設けられた光源が本体の上方に向けて照射している状態を示す概略的一部断面図である。
【図８】図８は、図４の挿入部材の他の実施例の概略的図である。
【図９】図９は、図８の挿入部材の他の実施例の概略的斜視図である。
【図１０】図１０は、図６の載置台の他の実施例の概略的斜視図である。
【図１１】図１１は、図１０の載置台が載置された状態の概略的断面図である。
【考案を実施するための形態】
【００１６】
本考案の一実施例の仏壇を図面を参照して説明する。
図１〜図３に示す１は仏壇で、仏壇１は、前面に開閉扉（図示せず）、内部に厨子（図示せず）、本体１０内の下方に光源２１を収納した光源収納室２０を有している。
光源２１は、例えば、図示しない蛍光灯でも良いが、望ましくは、図７に示すように、本体１０の幅方向に配列された複数の白色発光ダイオード２１ａが良い。
また、本体１０内の下方に設けられた光源収納室２０は、上面が開口した開口部２０ａを有する（図６及び図７参照）。
【００１７】
また、図１に示す３０は仏具で、仏具３０は光を通さないもので形成されていても良いが、望ましくは、光を通す透光部材（透光部材は、例えば、クリスタル、ガラス、アクリル等である。）で形成されたものが良い。仏具３０は、仏前に供える器物であれば良く、本実施例では、例えば、八葉徳利である。
また、図１に示す４０は仏具３０を載置する光を通す透光部材で形成された載置台で、載置台４０は、図６及び図７に示すように、光源収納室２０の開口部２０ａを上から覆うように設けられている。
【００１８】
また、図２に示す５０は、光を通す有色の透光部材で形成された有色透光部５０ａを有する挿入部材で、挿入部材５０は、図２及び図３に示すように、光源収納室２０の開口部２０ａより下方に位置し、光源収納室２０に設けられた挿入部材支持部２０ｂで支持されている。そして、挿入部材支持部２０ｂへの挿入部材５０の受け入れ口２０ｃが本体１０の正面に臨んでいる（図３参照）。
なお、挿入部材５０の有色透光部５０ａは、図４及び図５に示すように、挿入部材５０に有色透光部５０ａを載置して形成されるものであり、この載置する部位は、挿入部材５０に設けた開口部５０ｂを有した開口縁部５０ｃであり、有色透光部５０ａは、同じ色で形成されても良いが、図４及び図５に示すように、挿入部材５０の有色透光部５０ａが複数に分割された分割片で形成され、該分割片の有色が異なるように形成しても良い。
また、図２及び図３に示す６０は、本体１０の上方に設けられ、厨子（図示せず）に向かって照射する光源で、該光源６０は、例えば、光源２１と同様な「本体１０の幅方向に配列された複数の白色発光ダイオード」である。
【００１９】
従って、上述した仏壇１によれば、挿入部材支持部２０ｂへの挿入部材５０の受け入れ口２０ｃが本体１０の正面に臨んでいるため、使用者の好み、季節等に応じて、有色透光部５０ａの色を選択し、選択した挿入部材５０を受け入れ口２０ｃから挿入することができ、該有色透光部５０ａを通して光源の光を好みの有色光として本体１０の上方に向けて照射し、荘厳さを増した仏壇１を得ることができる。
【００２０】
なお、上述した有色透光部５０ａは、挿入部材５０の開口縁部５０ｃに載置するようにしたが（図４参照）、本願考案にあっては、これに限らず、図８に示すように、挿入部材５０に設けた透明で形成された透明載置部５０ｄ（又は挿入部材５０に設けた半透明で形成された半透明載置部５０ｄ’）に載置するようにしても良い。
【００２１】
また、挿入部材５０を光を通す有色の透光部材で形成された有色透光部５０ａを有するようにしたが（図４及び図８参照）、本願考案にあっては、図９に示すように、挿入部材５０そのものを光を通す有色の透光部材で形成された有色透光体５０’としても良い。
なお、図９記載の本実施例においては、上述した実施例（図１乃至図７）の「光を通す有色の透光部材で形成された有色透光部５０ａを有する挿入部材５０」を除けば、上述した実施例（図１乃至図７）と同様の構成である。
かかる場合、光源収納室２０に設けられた有色透光体５０’を支持するのは、有色透光体支持部２０ｂ’（図３参照）であり、この有色透光体支持部２０ｂ’（図３参照）への有色透光体５０’の受け入れ口は、本体１０の正面に臨むこととなる。
【００２２】
また、上述した載置台４０は、厚みが薄い平板状のものとしたが、本願考案にあっては、これに限らず、図１０及び図１１に示すように、厚みを持った載置台４０としても良い。
【符号の説明】
【００２３】
１      仏壇
１０    本体
２０    光源収納室
２０ａ  開口部
２０ｂ  挿入部材支持部
２１    光源
３０    仏具
４０    載置台
５０    挿入部材
【図１】
0003164156.tif 000003
【図２】
0003164156.tif 000004
【図３】
0003164156.tif 000005
【図４】
0003164156.tif 000006
【図５】
0003164156.tif 000007
【図６】
0003164156.tif 000008
【図７】
0003164156.tif 000009
【図８】
0003164156.tif 000010
【図９】
0003164156.tif 000011
【図１０】
0003164156.tif 000012
【図１１】
0003164156.tif 000013